(57)【特許請求の範囲】
【請求項１】
制御情報の伝送装置が、強化型の物理ダウンリンク制御チャネルＥ−ＰＤＣＣＨを伝送する複数強化型の制御チャネルエレメント（Ｅ−ＣＣＥ）を確認するステップと、
制御情報の伝送装置が、前記Ｅ−ＰＤＣＣＨにて伝送しなければならない各ダウンリンク制御情報（ＤＣＩ）を少なくとも１つのＥ−ＣＣＥに搬送して、伝送するステップとを備え、
各Ｅ−ＣＣＥは、同じ数量の強化型のリソース・エレメント・グループ（Ｅ−ＲＥＧ）を含み、
各Ｅ−ＣＣＥに含まれる各Ｅ−ＲＥＧは、それぞれ異なる周波数リソースブロック（ＲＢ）に帰属することを特徴とする制御情報の伝送方法。
【請求項２】
前記Ｅ−ＰＤＣＣＨを伝送する複数Ｅ−ＣＣＥの確認は、
制御情報の伝送装置が、前記Ｅ−ＰＤＣＣＨを伝送する複数周波数リソースブロック（ＲＢ）を確認するステップと、
制御情報の伝送装置が、各ＲＢに対応する１つまたは複数Ｅ−ＲＥＧを確認するステップと、
制御情報の伝送装置が、確認した全Ｅ−ＲＥＧをアグリゲーションし、複数Ｅ−ＣＣＥを構成するステップとを備えることを特徴とする請求項１に記載の制御情報の伝送方法。
【請求項３】
前記周波数リソースブロック（ＲＢ）は、基地局によりＵＥに割当て、かつ前記周波数リソースブロックは、分散してシステム帯域幅内に分布されることを特徴とする請求項１または２に記載の制御情報の伝送方法。
【請求項４】
前記各ＲＢに対応するＥ−ＲＥＧの確認は、
制御情報の伝送装置が、前記ＲＢにおける１つの物理リソースエリアブロックにおける使用可能な全ＲＥを１つのＥ−ＲＥＧと確認するステップを備え、
制御情報の伝送装置が、前記使用可能なＲＥを前記物理リソースエリアブロックにて伝統的なＰＤＣＣＨと参照信号を伝送するＲＥ以外のＲＥとし、
前記物理リソースエリアブロックは、時間領域上にて１つのＰＲＢｐａｉｒにおける伝統的なＰＤＣＣＨが占用する直交周波数分割多重化ＯＦＤＭ符号以外の全ＯＦＤＭ符号を占用し、周波数領域上にて前記ＲＢの全サブキャリアを占用するか、または、
前記物理リソースエリアブロックは、時間領域にて１つの物理リソースブロックＰＲＢにおける伝統的なＰＤＣＣＨが占用するＯＦＤＭ符号以外の全ＯＦＤＭ符号を占用し、周波数領域上にて前記ＲＢの全サブキャリアを占用するか、または、
前記物理リソースエリアブロックは、時間領域上にて１つのＰＲＢｐａｉｒにおける伝統的なＰＤＣＣＨが占用するＯＦＤＭ符号以外の全ＯＦＤＭ符号を占用し、周波数領域上にて前記ＲＢの全サブキャリアを占用するか、または、
前記物理リソースエリアブロックが、時間領域にて１つのＰＲＢにおける伝統的なＰＤＣＣＨが占用するＯＦＤＭ符号以外の全ＯＦＤＭ符号を占用し、周波数領域上にて前記ＲＢのサブキャリアまたは複数連続サブキャリアを占用することを特徴とする請求項２に記載の制御情報の伝送方法。
【請求項５】
前記Ｅ−ＰＤＣＣＨにて伝送しなければならない各ダウンリンク制御情報（ＤＣＩ）を少なくとも１つのＥ−ＣＣＥに搬送することは、
制御情報の伝送装置が、各ＤＣＩに対して、前記ＤＣＩが必要なコード化速度に基づき、前記ＤＣＩに搬送するＥ−ＣＣＥ数量を確認するステップと、
制御情報の伝送装置が、前記複数Ｅ−ＣＣＥから相応の数量のＥ−ＣＣＥを選択し、選択した前記相応の数量のＥ−ＣＣＥに前記ＤＣＩを搬送するステップとを備えることを特徴とする請求項１に記載の制御情報の伝送方法。
【請求項６】
前記Ｅ−ＰＤＣＣＨにて伝送しなければならない各ダウンリンク制御情報（ＤＣＩ）を１つまたは複数Ｅ−ＣＣＥに搬送することは、
制御情報の伝送装置が、伝送しなければならない全ＤＣＩの変調符号を連鎖接続し、連鎖接続して得た変調符号シーケンスを複数サブブロックと区分するステップと、
制御情報の伝送装置が、前記複数Ｅ−ＣＣＥに対応する全Ｅ−ＲＧＥを低周波から高周波までの順番に従い配列し、配列後の全Ｅ−ＲＥＧをインターリービングし、インターリービング後のＥ−ＲＥＧシーケンスを形成するステップと、
制御情報の伝送装置が、連鎖接続後の全ＳＢを前後の順番に従いインターリービング後の相応のＥ−ＲＥＧシーケンスにマッピングし、かつ、同一ＤＣＩの複数ＳＢに対応する複数Ｅ−ＲＥＧは、それぞれ異なるＲＢに帰属するステップとを備えることを特徴とする請求項１に記載の制御情報の伝送方法。
【請求項７】
前記Ｅ−ＰＤＣＣＨにて伝送しなければならない各ダウンリンク制御情報（ＤＣＩ）を１つまたは複数Ｅ−ＣＣＥに搬送することは、
制御情報の伝送装置が、前記複数Ｅ−ＣＣＥに対応する全Ｅ−ＲＧＥを低周波から高周波までの順番に従い配列し、Ｅ−ＲＥＧシーケンスを獲得するステップと、
制御情報の伝送装置が、伝送しなければならない全ＤＣＩの変調符号を連鎖接続し、連鎖接続して得た変調符号シーケンスを複数ＳＢと区分し、かつ、複数ＳＢをインターリービングし、ＳＢシーケンスを獲得し、前記ＳＢシーケンスを順番に配列後のＥ−ＲＥＧシーケンスにマッピングするステップとを備え、
同一ＤＣＩの複数ＳＢに対応する複数Ｅ−ＲＥＧは、それぞれ異なるＲＢに帰属し、
各ＳＢ数目は、同じ複数変調符号を含むことを特徴とする請求項１に記載の制御情報の伝送方法。
【請求項８】
配列後のＥ−ＲＥＧシーケンスをインターリービングする、またはＳＢシーケンスをインターリービングする方法は、現在のサブフレーム番号に基づき確認できる、または現在のセルＩＤにより確認できることを特徴とする請求項６または７に記載の制御情報の伝送方法。
【請求項９】
制御情報の受信装置が、強化型の物理ダウンリンク制御チャネルＥ−ＰＤＣＣＨを伝送する複数強化型の制御チャネルエレメント（Ｅ−ＣＣＥ）において、前記Ｅ−ＰＤＣＣＨにて伝送しなければならない少なくとも１つのＤＣＩを受信し、各ＤＣＩが少なくとも１つのＥ−ＣＣＥに搬送されるステップを備え、
各Ｅ−ＣＣＥは、同じ数量の強化型のリソース・エレメント・グループ（Ｅ−ＲＥＧ）を含み、
各Ｅ−ＣＣＥに含まれる各Ｅ−ＲＥＧは、それぞれ異なる周波数リソースブロック（ＲＢ）に帰属することを特徴とする制御情報の受信方法。
【請求項１０】
前記Ｅ−ＰＤＣＣＨを伝送する複数Ｅ−ＣＣＥは、
前記Ｅ−ＰＤＣＣＨを伝送する複数ＲＢに対応する全Ｅ−ＲＥＧをアグリゲーションすることにより、構成した複数Ｅ−ＣＣＥであることを特徴とする請求項９に記載の制御情報の受信方法。
【請求項１１】
前記周波数リソースブロックＲＲＢは、基地局によりＵＥに割当て、
前記周波数リソースブロックは、分散してシステム帯域幅内に分布されることを特徴とする請求項９または１０に記載の制御情報の受信方法。
【請求項１２】
制御情報の受信装置が、各ＲＢに対応するＥ−ＲＥＧは、前記ＲＢにおける１つの物理リソースエリアブロックにおいて使用可能な全リソースエレメントＲＥをＥ−ＲＥＧと確認し、
前記使用可能なＲＥは、前記物理リソースエリアブロックにおける伝統的なＰＤＣＣＨと参照信号を伝送するＲＥ以外のＲＥであり、
前記物理リソースエリアブロックは、時間領域上にて１つの物理リソースブロックペア（ＰＲＢｐａｉｒ）における伝統的なＰＤＣＣＨが占用するＯＦＤＭ符号以外の全ＯＦＤＭ符号を占用し、周波数領域上にて前記ＲＢの全サブキャリアを占用するか、または、
前記物理リソースエリアブロックは、時間領域にて１つのＰＲＢにおける伝統的なＰＤＣＣＨが占用するＯＦＤＭ符号以外の全ＯＦＤＭ符号を占用し、周波数領域上にて前記ＲＢの全サブキャリアを占用するか、または、
前記物理リソースエリアブロックは、時間領域上にて１つのＰＲＢｐａｉｒにおける伝統的なＰＤＣＣＨが占用するＯＦＤＭ符号以外の全ＯＦＤＭ符号を占用し、周波数領域上にて前記ＲＢのサブキャリアまたは複数連続サブキャリアを占用するか、または、
前記物理リソースエリアブロックは、時間領域において１つのＰＲＢにおける伝統的なＰＤＣＣＨが占用するＯＦＤＭ符号以外の全ＯＦＤＭ符号を占用し、周波数領域上にて前記ＲＢのサブキャリアまたは複数連続サブキャリアを占用することを特徴とする請求項９に記載の制御情報の受信方法。
【請求項１３】
前記複数Ｅ−ＣＣＥにおけるＥ−ＰＤＣＣＨにて伝送しなければならない少なくとも１つのＤＣＩの受信は、
制御情報の受信装置が、前記複数Ｅ−ＣＣＥに対応するＥ−ＲＥＧシーケンスをデインターリービングし、低周波から高周波までの順番に従い配列した複数Ｅ−ＲＥＧを獲得し、順番に当該複数Ｅ−ＲＥＧからそれぞれ搬送した複数ＳＢを獲得し、前記複数ＳＢから前記少なくとも１つのＤＣＩに対応する変調符号を獲得するステップを備えることを特徴とする請求項９に記載の制御情報の受信方法。
【請求項１４】
前記Ｅ−ＰＤＣＣＨを伝送する複数Ｅ−ＣＣＥにおける前記Ｅ−ＰＤＣＣＨにて伝送しなければならない少なくとも１つのＤＣＩの受信は、
制御情報の受信装置が、前記複数Ｅ−ＣＣＥに対応する低周波から高周波までの順番に従い配列した複数Ｅ−ＲＥＧからそれぞれ搬送した複数ＳＢを獲得し、前記複数ＳＢをデインターリービング後、ＳＢシーケンスを獲得し、前記ＳＢシーケンスから前記少なくとも１つのＤＣＩに対応する変調符号を獲得し、これにより、前記少なくとも１つのＤＣＩを獲得するステップを備えることを特徴とする請求項９に記載の制御情報の受信方法。
【請求項１５】
強化型の物理ダウンリンク制御チャネルＥ−ＰＤＣＣＨを伝送する複数Ｅ−ＣＣＥを確認し、各Ｅ−ＣＣＥが、同じ数量の強化型のリソース・エレメント・グループ（Ｅ−ＲＥＧ）を含み、各Ｅ−ＣＣＥに含まれる各Ｅ−ＲＥＧが、それぞれ異なる周波数リソースブロック（ＲＢ）に帰属する、強化型の物理ダウンリンク制御チャネルＥ−ＣＣＥ確認ユニットと、
前記Ｅ−ＰＤＣＣＨにて伝送しなければならない各ダウンリンク制御情報（ＤＣＩ）を少なくとも１つのＥ−ＣＣＥに搬送する、情報マッピングユニットと、
ＤＣＩを搬送するＥ−ＣＣＥを伝送する、情報伝送ユニットとを備えることを特徴とする制御情報の伝送装置。
【請求項１６】
前記Ｅ−ＣＣＥ確認ユニットによる前記Ｅ−ＰＤＣＣＨを伝送する複数Ｅ−ＣＣＥの確認は、
前記Ｅ−ＰＤＣＣＨを伝送する複数周波数リソースブロック（ＲＢ）を確認することと、
前記複数ＲＢにおける各ＲＢに対して、各ＲＢに対応する１つまたは複数Ｅ−ＲＥＧを確認し、これに従い、前記複数ＲＢに対応する全Ｅ−ＲＥＧを確認することと、
確認した全Ｅ−ＲＥＧをアグリゲーションし、複数Ｅ−ＣＣＥを構成することと
に用いられることを特徴とする請求項１５に記載の制御情報の伝送装置。
【請求項１７】
前記Ｅ−ＣＣＥ確認ユニットによる各ＲＢに対応するＥ−ＲＥＧの確認は、
各ＲＢについて、前記各ＲＢ中の１つの物理リソースエリアブロックにおける使用可能な全ＲＥはＥ−ＲＥＧであると確認することに用いられ、
前記使用可能なリソースエレメント（ＲＥ）は、前記物理リソースエリアブロックにて伝統的なＰＤＣＣＨと参照信号を伝送するＲＥ以外のＲＥとし、
前記物理リソースエリアブロックは、時間領域上にて１つの物理リソースブロックペア（ＰＲＢｐａｉｒ）における伝統的なＰＤＣＣＨが占用する直交周波数分割多重化ＯＦＤＭ符号以外の全ＯＦＤＭ符号を占用し、周波数領域上にて前記ＲＢの全サブキャリアを占用するか、または、
前記物理リソースエリアブロックは、時間領域にて１つの物理リソースブロックＰＲＢにおける伝統的なＰＤＣＣＨが占用するＯＦＤＭ符号以外の全ＯＦＤＭ符号を占用し、周波数領域上にて前記ＲＢの全サブキャリアを占用するか、または、
前記物理リソースエリアブロックが、時間領域上にて１つのＰＲＢｐａｉｒにて伝統的なＰＤＣＣＨが占用するＯＦＤＭ符号以外の全ＯＦＤＭ符号を占用し、周波数領域上にて前記ＲＢのサブキャリアまたは複数連続サブキャリアを占用するか、または、
前記物理リソースエリアブロックが、時間領域にて１つのＰＲＢにおける伝統的なＰＤＣＣＨが占用するＯＦＤＭ符号以外の全ＯＦＤＭ符号を占用し、周波数領域上にて前記ＲＢのサブキャリアまたは複数連続サブキャリアを占用することを特徴とする請求項１６に記載の制御情報の伝送装置。
【請求項１８】
前記搬送ユニットは具体的に、各ＤＣＩに対して、前記ＤＣＩが必要なコード化速度に基づき、前記ＤＣＩに搬送するＥ−ＣＣＥ数量を確認する。および、前記複数Ｅ−ＣＣＥから相応の数量のＥ−ＣＣＥを選択し、選択したＥ−ＣＣＥにおいて前記ＤＣＩを搬送することを特徴とする請求項１５に記載の制御情報の伝送装置。
【請求項１９】
前記搬送ユニットは、伝送しなければならない全ＤＣＩの変調符号を連鎖接続し、連鎖接続して得た変調符号シーケンスを複数サブブロックＳＢと区分し、
前記複数Ｅ−ＣＣＥに対応する全Ｅ−ＲＧＥを低周波から高周波までの順番に従い配列し、配列後の全Ｅ−ＲＥＧをインターリービングし、インターリービング後のＥ−ＲＥＧシーケンスを形成し、
連鎖接続後の全ＳＢを前後の順番に従いインターリービング後の相応のＥ−ＲＥＧシーケンスにマッピングし、
同一ＤＣＩの複数ＳＢに対応する複数Ｅ−ＲＥＧは、それぞれ異なるＲＢに帰属し、
各ＳＢ数目は、同じ複数変調符号を含むことを特徴とする請求項１５に記載の制御情報の伝送装置。
【請求項２０】
前記搬送ユニットは、前記複数Ｅ−ＣＣＥに対応する全Ｅ−ＲＧＥを低周波から高周波までの順番に従い配列し、Ｅ−ＲＥＧシーケンスを獲得し、
伝送しなければならない全ＤＣＩの変調符号を連鎖接続し、連鎖接続して得た変調符号シーケンスを複数ＳＢと区分し、複数ＳＢインターリービングし、ＳＢシーケンスを獲得し、前記ＳＢシーケンスを順番に配列後のＥ−ＲＥＧシーケンスにマッピングし、
各ＳＢ数目は、同じ複数変調符号を含み、
同一ＤＣＩの複数ＳＢに対応する複数Ｅ−ＲＥＧは、それぞれ異なるＲＢに帰属することを特徴とする請求項１５に記載の制御情報の伝送装置。
【請求項２１】
強化型の物理ダウンリンク制御チャネルＥ−ＰＤＣＣＨを伝送する複数強化型の制御チャネルエレメント（Ｅ−ＣＣＥ）を受信し、各Ｅ−ＣＣＥ中に同じ数量の強化型のリソース・エレメント・グループ（Ｅ−ＲＥＧ）を含み、各Ｅ−ＣＣＥに含まれる各Ｅ−ＲＥＧが、それぞれ異なる周波数リソースブロック（ＲＢ）に帰属する、受信ユニットと、
前記複数Ｅ−ＣＣＥから前記Ｅ−ＰＤＣＣＨにて伝送しなければならない少なくとも１つのダウンリンク制御情報（ＤＣＩ）を獲得する、制御情報獲得ユニットを備えることを特徴とする制御情報の受信装置。
【請求項２２】
前記制御情報獲得ユニットは、
前記複数Ｅ−ＣＣＥに対応するＥ−ＲＥＧシーケンスをデインターリービングし、低周波から高周波までの順番に従い配列した複数Ｅ−ＲＥＧを獲得し、順番に当該複数Ｅ−ＲＥＧからそれぞれ搬送した複数ＳＢを獲得し、前記複数サブブロックＳＢから前記少なくとも１つのＤＣＩに対応する変調符号を獲得し、これにより、前記少なくとも１つのＤＣＩを獲得することを特徴とする請求項２１に記載の制御情報の受信装置。
【請求項２３】
前記制御情報獲得ユニットは、
前記複数Ｅ−ＣＣＥに対応する低周波から高周波までの順番に従い配列した複数Ｅ−ＲＥＧからそれぞれ搬送した複数ＳＢを獲得し、前記複数ＳＢをデインターリービング後、ＳＢシーケンスを獲得し、前記ＳＢシーケンスから前記少なくとも１つのＤＣＩに対応する変調符号を獲得し、これにより、前記少なくとも１つのＤＣＩを獲得することを特徴とする請求項２１に記載の制御情報の受信装置。
【発明の詳細な説明】
【技術分野】
【０００１】
本出願は２０１１年１１月７日に中国特許局に提出し、出願番号が２０１１１０３４９１２５．１であり、発明名称が「制御情報の伝送方法および装置」である中国特許出願を基礎とする優先権を主張し、その開示の総てをここに取り込む。
本発明は通信分野に関し、特に制御情報の伝送方法および装置に関する。
【背景技術】
【０００２】
ＬＴＥ−Ａ（Ｌｏｎｇ  Ｔｅｒｍ  Ｅｖｏｌｕｔｉｏｎ，ロング・ターム・エボリューション）システム性能を高め、ＰＤＣＣＨ（Ｐｈｙｓｉｃａｌ  Ｄｏｗｎｌｉｎｋ  Ｃｏｎｔｒｏｌ  Ｃｈａｎｎｅｌ，物理ダウンリンク制御チャネル）容量を拡大するため、Ｒｅｌ−１１リリースにてＥ−ＰＤＣＣＨ（即ち、強化型の物理ダウンリンク制御チャネル）を導入した。現在の標準ではすでに、Ｅ−ＰＤＣＣＨが、成形ビーム伝送とダイバシティ伝送の２種類のモードを支援し、異なるシーンに応用することを確認している。ダイバシティ伝送モードについては、具体的な送信案は、まだ提示されていない。  
【０００３】
ＬＴＥシステムにおいて、ＰＤＣＣＨは、各無線サブフレームにて送信し、ＰＤＳＣＨ（Ｐｈｙｓｉｃａｌ  Ｄｏｗｎｌｉｎｋ  ＳｈａｒｅｄＣｈａｎｎｅｌ，物理ダウンリンク共享チャネル）とＴＤＭ（ＴｉＭＥ  Ｄｉｖｉｓｉｏｎ  Ｍｕｌｔｉｐｌｅ，時分割多重）の多重化関係を形成する。
図１に示すように、ＰＤＣＣＨは、ダウンリンクサブフレームの前Ｎ個ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ，直交周波数分割多重）符号により送信する。
ここで、Ｎが獲得するだろう値は１、２、３、４であり、Ｎ＝４はシステム帯域幅が１．４ＭＨｚであるシステムにのみ出現することが許される。ＬＴＥシステムにおいて、ＰＤＣＣＨを伝送する制御エリアは、ロジックにより区分されたＣＣＥ（Ｃｏｎｔｒｏｌ  Ｃｈａｎｎｅｌ  Ｅｌｅｍｅｎｔ，制御チャネルエレメント）から構成される。
ここで、ＣＣＥからＲＥ（Ｒｅｓｏｕｒｃｅ  Ｅｌｅｍｅｎｔ，最小リソースエレメント）までのマッピングは、完全なインターリービング方法を用いる。
ＤＣＩ（Ｄｏｗｎｌｉｎｋ  Ｃｏｎｔｒｏｌ  Ｉｎｆｏｒｍａｔｉｏｎ，ダウンリンク制御情報）の伝送もまたＣＣＥに基づく単位としている。
１つのＵＥの１つのＤＣＩは、Ｎ個連続するＣＣＥにて送信できる。
ＬＴＥシステムにおいてＮが獲得するだろう値は、１、２、４、８であり、ＣＣＥアグリゲーションレベル（Ａｇｇｒｅｇａｔｉｏｎ  Ｌｅｖｅｌ）と呼ぶ。
ＵＥ（Ｕｓｅｒ  Ｅｑｕｉｐｍｅｎｔ，ユーザー設備）は、制御エリアにてＰＤＣＣＨブラインド測定し、当該ＵＥへ送信したＰＤＣＣＨが存在するか否かを検出する。ブラインド測定は、即ち当該ＵＥのＲＮＴＩ（ｒａｄｉｏ  ｎｅｔｗｏｒｋ  ｔｅｍｐｏｒａｒｙ  ｉｄｅｎｔｉｆｉｅｒ，無線ネットワーク臨時識別子）を用いて、異なるフォーマットのＤＣＩ情報およびＣＣＥアグリゲーションレベルに対し、復号を試みる。もし復号が正確でれば、当該ＵＥへのＤＣＩ情報を受信する。
ＬＴＥ  ＵＥは、非ＤＲＸ（Ｄｉｓｃｏｎｔｉｎｕｏｕｓ  Ｒｅｃｅｐｔｉｏｎ，非連続受信）状態の各ダウンリンクサブフレームにおいて、ＰＤＣＣＨを検出するために、制御エリアに対しブラインド測定をしなければならない。
【０００４】
ＭＵ−ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ，マルチユーザー多入力多出力）、ＣｏＭＰ（Ｃｏｏｐｅｒａｔｉｖｅ  Ｍｕｌｔｉｐｌｅ−Ｐｏｉｎｔｓ，多地点協調送受信）、キャリア・アグリゲーション等技術と同セルＩＤのＲＲＨ（Ｒｅｍｏｔｅ  Ｒａｄｉｏ  Ｈｅａｄ，リモート・ラ
ジオ・ヘッド）、８アンテナ等配置の導入により、ＬＴＥ−Ａ（１０ｎｇ  Ｔｅｒｍ  Ｅｖｏｌｕｔｉｏｎ  Ａｄｖａｎｃｅｄ，ロング・ターム・エボリューション・アドバンスト）システムにおけるＰＤＳＣＨの容量と伝送効率は大幅に向上された。
その一方、早期のＬＴＥリリース（例、Ｒｅｌ−８／９）と比較すれば、ＬＴＥ−ＡシステムのＰＤＣＣＨは、新技術による向上を実現していない。  
【０００５】
一方で、新技術の応用はＰＤＳＣＨをより多くのユーザーへ同時にデータ伝送を提供できるようにさせ、ＰＤＣＣＨチャネル容量に対するニーズを大きく高めた。また一方で、ＰＤＳＣＨにて応用するＤＭ−ＲＳ（Ｄｅｍｏｄｕｌａｔｉｏｎ  Ｒｅｆｅｒｅｎｃｅ  Ｓｙｍｂｏｌ，復調用参照符号）とＲｅｌａｙ  ｂａｃｋｈａｕｌ（中継バックホール）にて応用するＲ−ＰＤＣＣＨ（Ｒｅｌａｙ−ＰＤＣＣＨ，中継ＰＤＣＣＨ）等の新技術は、ＰＤＣＣＨの強化に準拠となる技術と経験を提供する。
【０００６】
ダウンリンク制御チャネル容量が制限を受けることを解決し、ダウンリンク制御情報の伝送効率を高めるための解決案は、図２で示すように、元のＰＤＣＣＨエリアを保留すると同時に、ダウンリンクサブフレームにおけるＰＤＳＣＨエリアにて強化型のＰＤＣＣＨ（即ち、Ｅ−ＰＤＣＣＨ）を送信する。
元のＰＤＣＣＨエリアは、引き続き従来の送信技術と受信技術、元のＰＤＣＣＨリソースを用いる。例えば、送信時に送信ダイバシティを用い、受信時にＣＲＳ（Ｃｅｌｌ−ｓｐｅｃｉｆｉｃ  Ｒｅｆｅｒｅｎｃｅ  Ｓｉｇｎａｌ，セル固有の参照信号）に基づき、ブラインド測定技術を用いて公共検索空間とユーザー専属検索空間にてＤＣＩをブラインド測定する。さらに、前Ｎ個ＯＦＤＭ符号を占用して送信する。
ここで、Ｎが獲得するだろう値は１、２、３、４であり、Ｎ＝４はシステム帯域幅が１．４ＭＨｚであるシステムにのみ出現することが許される。このＰＤＣＣＨエリアをｌｅｇａｃｙ−ＰＤＣＣＨ（元のＰＤＣＣＨまたは伝統的なＰＤＣＣＨ）エリアと呼ぶ。
【０００７】
Ｅ−ＰＤＣＣＨエリアはより先進の送信・受信技術を用いることができる。例えば、送信時に予符号化を用い、受信時にＤＭ−ＲＳに基づき測定する。ｌｅｇａｃｙ−ＰＤＣＣＨエリア以外の時間周波数リソースを占用して送信し、元のＰＤＳＣＨの一部のリソースを用いて、ＰＤＳＣＨと周波数分割の方法により多重化を実現する。この部分のＰＤＣＣＨエリアをＥｎｈａｎｃｅｄ  ＰＤＣＣＨ（Ｅ−ＰＤＣＣＨ）エリアと呼ぶ。
このようなＥ−ＰＤＣＣＨとＰＤＳＣＨが周波数分割方法により多重化を実現する方案を、ＦＤＭＥ−ＰＤＣＣＨ（周波数分割多重化Ｅ−ＰＤＣＣＨ）と呼ぶ。  
【先行技術文献】
【特許文献】
【０００８】
【特許文献１】中国特許出願公開第１０２０８２６００号明細書
【発明の概要】
【発明が解決しようとする課題】
【０００９】
現在の標準ではすでに、Ｅ−ＰＤＣＣＨが成形ビーム伝送とダイバシティ伝送の２種類のモードを支援し、異なるシーンに応用することを確認している。一般的な情況では、成形ビーム伝送モードは、基地局の端末がフィードバックするさらに正確なチャネル情報獲得に用いられ、かつサブフレーム変化に伴う隣接セル干渉があまり激しくないシーンに多く用いられる。この時、基地局は、端末がフィードバックするＣＳＩに基づき、品質がより良い連続周波数リソースを選択し、当該端末にＥ−ＰＤＣＣＨを伝送する。さらに、成形ビーム処理を行い、伝送性能を高める。
チャネル情報を正確に獲得できない、またはサブフレーム変化に伴う隣接セル干渉が激しく、チャネル情報を事前に知ることができない情況では、周波数ダイバシティの方法を用いてＥ−ＰＤＣＣＨを伝送しなければならない。即ち、周波数にて非連続周波数リソー
スを用いて伝送する。  
【００１０】
図３Ａは、周波数領域連続Ｅ−ＰＤＣＣＨ伝送例であり、図３Ｂは、非連続Ｅ−ＰＤＣＣＨ伝送例である。例では、ＤＣＩの伝送は、４ＰＲＢｐａｉｒのリソースを占用する。以下にいくつかの常用される基本概念について説明する。
【００１１】
ＰＲＢ（Ｐｈｙｓｉｃａｌ  Ｒｅｓｏｕｒｃｅ  Ｂｌｏｃｋ，物理リソースブロック）は、時間領域上の１つのｓｌｏｔと、周波数領域上の１つのＲＢから構成されるリソース単位である。
ここで、１つのｓｌｏｔをｎｏｒｍａｌＣＰ情況での連続する７つのＯＦＤＭｓｙｍｂｏｌとし、またはｅｘｔｅｎｄｅｄＣＰ情況での連続する６つのＯＦＤＭｓｙｍｂｏｌとする。その後に説明するＣＰは全てｎｏｒｍａｌＣＰを例とする。ＲＢは、周波数領域上での連続する１２サブキャリアにより構成される。  
【００１２】
ＰＲＢｐａｉｒは、時間領域上のサブフレームにおける２つのｓｌｏｔと、周波数領域上の１つのＲＢにより構成されるリソース単位である。
【００１３】
Ｌｅｇａｃｙ−ＰＤＣＣＨは、即ち、ＬＴＥ  Ｒｅｌ−８／９／１０にて定義するＰＤＣＣＨであり、互換性ＬＴＥ  Ｒｅｌ−８／９／１０端末がアクセスするキャリアにて伝送し、周波数領域上にて全システム帯域幅を占用し、時間領域上にてダウンリンクサブフレームでの１つ目のｓｌｏｔから始まる１、２、３または４個の連続するＯＦＤＭｓｙｍｂｏｌを占用する。非互換性ＬＴＥ  Ｒｅｌ−８／９／１０  ＵＥがアクセスする新追加キャリアタイプでは、ｌｅｇａｃｙ−ＰＤＣＣＨを伝送しなくてよい。
【課題を解決するための手段】
【００１４】
従来技術において、ダイバシティモードで制御情報を伝送する技術案が提供されていない問題に対して、本発明の実施形態は、ダイバシティモードを用いた制御情報の伝送方法および装置、制御情報の受信・伝送方法および装置を提供することにより、ダイバシティ伝送モードに基づく制御情報の送信方法を提供する。  
【００１５】
本発明に係る制御情報の伝送方法は、制御情報の伝送装置が、強化型の物理ダウンリンク制御チャネル（Ｅ−ＰＤＣＣＨ）を伝送する複数強化型の制御チャネルエレメント（Ｅ−ＣＣＥ）を確認するステップと、制御情報の伝送装置が、前記Ｅ−ＰＤＣＣＨにて伝送しなければならない各ダウンリンク制御情報（ＤＣＩ）を少なくとも１つのＥ−ＣＣＥに搬送して、伝送するステップとを備え、各Ｅ−ＣＣＥは、同じ数量の強化型のリソース・エレメント・グループ（Ｅ−ＲＥＧ）を含み、かつ、各Ｅ−ＣＣＥに含まれる各Ｅ−ＲＥＧは、それぞれ異なる周波数リソースブロック（ＲＢ）に帰属する。 
【００１６】
本発明に係る制御情報の受信方法は、制御情報の受信装置が、強化型の物理ダウンリンク制御チャネルＥ−ＰＤＣＣＨを伝送する複数強化型の制御チャネルエレメントＥ−ＣＣＥにおいて、前記Ｅ−ＰＤＣＣＨにて伝送しなければならない少なくとも１つのＤＣＩを受信するステップを備え、各ＤＣＩは、少なくとも１つのＥ−ＣＣＥに搬送され、各Ｅ−ＣＣＥは、同じ数量の強化型のリソース・エレメント・グループ（Ｅ−ＲＥＧ）を含み、各Ｅ−ＣＣＥに含まれる各Ｅ−ＲＥＧは、それぞれ異なる周波数リソースブロック（ＲＢ）に帰属する。
【００１７】
本発明に係る制御情報の伝送装置は、強化型の物理ダウンリンク制御チャネルＥ−ＰＤＣＣＨを伝送する複数Ｅ−ＣＣＥを確認し、各Ｅ−ＣＣＥが、同じ数量の強化型のリソース・エレメント・グループ（Ｅ−ＲＥＧ）を含み、かつ、各Ｅ−ＣＣＥに含まれる各Ｅ−ＲＥＧが、それぞれ異なる周波数リソースブロック（ＲＢ）に帰属する、強化型の物理ダウンリンク制御チャネルＥ−ＣＣＥ確認ユニットと、前記Ｅ−ＰＤＣＣＨにて伝送しなければならない各ダウンリンク制御情報（ＤＣＩ）を少なくとも１つのＥ−ＣＣＥに搬送する、情報マッピングユニットとＤＣＩを搬送したＥ−ＣＣＥを伝送する、情報伝送ユニットとを備える。
【００１８】
本発明に係る制御情報の受信装置は、強化型の物理ダウンリンク制御チャネルＥ−ＰＤＣＣＨを伝送する複数強化型の制御チャネルエレメント（Ｅ−ＣＣＥ）を受信し、各Ｅ−ＣＣＥが、同じ数量の強化型のリソース・エレメント・グループ（Ｅ−ＲＥＧ）を含み、かつ、各Ｅ−ＣＣＥに含まれる各Ｅ−ＲＥＧが、それぞれ異なる周波数リソースブロック（ＲＢ）に帰属する、受信ユニットと、前記複数Ｅ−ＣＣＥから前記Ｅ−ＰＤＣＣＨにて伝送しなければならない少なくとも１つのダウンリンク制御情報（ＤＣＩ）を獲得する、制御情報獲得ユニットとを備える。
【発明の効果】
【００１９】
本発明の実施形態において、Ｅ−ＰＤＣＣＨを伝送する複数Ｅ−ＣＣＥを確認し、前記各Ｅ−ＣＣＥは、同じ数量のＥ−ＲＥＧを含む。かつ、各Ｅ−ＣＣＥに含まれる各Ｅ−ＲＥＧは、それぞれ異なるＲＢに帰属し、前記Ｅ−ＰＤＣＣＨにて伝送しなければならない各ダウンリンク制御情報（ＤＣＩ）を少なくとも１つのＥ−ＣＣＥに搬送して、伝送する。
本発明によれば、各Ｅ−ＣＣＥに含まれる各Ｅ−ＲＥＧが、それぞれ異なる周波数リソースブロック（ＲＢ）に帰属するため、各伝送しなければならないＤＣＩを少なくとも１つのＥ−ＣＣＥに搬送し、ＤＣＩの変調符号を異なるＥ−ＲＥＧにダイバシティして伝送することを実現できる。これにより、ＤＣＩにおける各部分をそれぞれＥ−ＰＤＣＣＨに対応する複数の異なる周波数域リソースに搬送して、伝送することを実現し、ＤＣＩ伝送の安定性と信頼性を高める。
【図面の簡単な説明】
【００２０】
【図１】従来技術に係るダウンリンクサブフレームおける制御エリアとデータエリアの多重化関係を示す図である。
【図２】従来技術におけるＥ−ＰＤＣＣＨの位置を示す図である。
【図３Ａ】従来技術における周波数領域の連続Ｅ−ＰＤＣＣＨ伝送を示す図である。
【図３Ｂ】従来技術における周波数領域非連続Ｅ−ＰＤＣＣＨ伝送を示す図である。
【図４】本発明の実施形態おけるネットワーク側に基づく制御情報の伝送方法のフロー図である。
【図５】本発明の実施形態に係るＥ−ＰＤＣＣＨを伝送するＥ−ＣＣＥを確認する方法のフロー図である。
【図６Ａ】本発明の実施形態に係るＲＢに対応するＥ−ＲＥＧの構成方法１である。
【図６Ｂ】本発明の実施形態に係るＲＢに対応するＥ−ＲＥＧの構成方法２である。
【図６Ｃ】本発明の実施形態に係るＲＢに対応するＥ−ＲＥＧの構成方法３である。
【図６Ｄ】本発明の実施形態に係るＲＢに対応するＥ−ＲＥＧの構成方法４である。
【図７Ａ】本発明の実施形態に係るＥ−ＲＥＧをアグリゲーションし、Ｅ−ＣＣＥを構成すること示す例１である。
【図７Ｂ】本発明の実施形態おいてＥ−ＲＥＧをアグリゲーションし、Ｅ−ＣＣＥを構成することを示す例２である。
【図８】本発明の実施形態おいて端末側に基づき、制御情報を受信する方法のフロー図である。
【図９】本発明の実施形態おける制御情報の伝送装置の構造を示す図である。
【図１０】本発明の実施形態おける制御情報の受信装置の構造を示す図である。
【発明を実施するための形態】
【００２１】
従来技術において、ダイバシティモードで制御情報を伝送する案を提供していない問題について、本発明の実施形態は、ダイバシティモードを用いた制御情報の伝送方法および
装置、制御情報の受信・伝送方法および装置を提供する。  
本発明の実施形態おける制御情報の伝送方法は、以下とおりです。
Ｅ−ＰＤＣＣＨを伝送する複数強化型の制御チャネルエレメント（Ｅ−ＣＣＥ）を確認し、前記Ｅ−ＰＤＣＣＨにて伝送しなければならない各ダウンリンク制御情報（ＤＣＩ）を少なくとも１つのＥ−ＣＣＥに搬送して伝送する。前記各Ｅ−ＣＣＥは。同じ数量のＥ−ＲＥＧを含む。かつ、各Ｅ−ＣＣＥが含む複数Ｅ−ＲＥＧは、それぞれ異なる周波数リソースブロック（ＲＢ）に帰属する。
本発明によれば、各Ｅ−ＣＣＥが含む複数Ｅ−ＲＥＧが、それぞれ異なる周波数リソースブロック（ＲＢ）に帰属するため、各伝送しなければならないＤＣＩを少なくとも１つのＥ−ＣＣＥに搬送して、ＤＣＩの変調符号を異なるＥ−ＲＥＧまでダイバシティして伝送することを実現できる。これにより、ＤＣＩをＥ−ＰＤＣＣＨに対応する複数異なる周波数域リソースにて伝送することを実現し、ＤＣＩ伝送の安定性と信頼性を高める。
【００２２】
以下に図面と結合して本発明を詳細に説明する。  
【００２３】
図４は、本発明の実施形態におけるネットワーク側に基づく制御情報の伝送方法であり、以下のステップ４０１とステップ４０２とを備える。
【００２４】
ステップ４０１において、基地局は、Ｅ−ＰＤＣＣＨを伝送する複数Ｅ−ＣＣＥを確認する。  
【００２５】
本発明の実施形態において、各Ｅ−ＣＣＥは同じ数量のＥ−ＲＥＧ（Ｅｎｈａｎｃｅｄ
Ｒｅｓｏｕｒｃｅ  Ｅｌｅｍｅｎｔ  Ｇｒｏｕｐ，強化型のリソース・エレメント・グループ）を含む。
かつ、各Ｅ−ＣＣＥが含む複数Ｅ−ＲＥＧは、それぞれ異なるＲＢ（Ｆｒｅｑｕｅｎｃｙ  Ｒｅｓｏｕｒｃｅ  Ｂｌｏｃｋ，周波数リソースブロック）に帰属する。
ＲＢは、基地局からＵＥ（即ち、ユーザー端末設備）に割当て、かつ前記周波数リソースブロックは分散してシステム帯域幅内に分布される。  
【００２６】
ステップ４０２において、基地局は、前記Ｅ−ＰＤＣＣＨにて伝送しなければならない各ＤＣＩを前記複数Ｅ−ＣＣＥにおける少なくとも１つのＥ−ＣＣＥに搬送して、伝送する。  
【００２７】
本発明の実施形態において、前記Ｅ−ＰＤＣＣＨを伝送する複数Ｅ−ＣＣＥの確認は、図５に示す方法フローを用いて確認できる。  
【００２８】
ステップ５０１において、前記Ｅ−ＰＤＣＣＨを伝送する複数周波数リソースブロック（ＲＢ）を確認する。  
【００２９】
ステップ５０２において、前記複数ＲＢにおける各ＲＢに対して、前記ＲＢに対応する１つまたは複数Ｅ−ＲＥＧを確認する。これに従い、前記複数ＲＢに対応する全Ｅ−ＲＥＧを確認する。  
【００３０】
ステップ５０３において、前記複数ＲＢに対応する全Ｅ−ＲＥＧをアグリゲーションして、複数Ｅ−ＣＣＥを構成する。ここで、前記各Ｅ−ＣＣＥは同じ数量のＥ−ＲＥＧを含む。かつ、各Ｅ−ＣＣＥが含む複数Ｅ−ＲＥＧは、それぞれ異なる周波数リソースブロック（ＲＢ）に帰属する。  
【００３１】
前記方法フローにおけるステップ５０２において、各ＲＢに対応するＥ−ＲＥＧの確認は、以下の方法により実現する。ＲＢ中の一つの物理リソースエリアブロックにおける使
用可能な全ＲＥがＥ−ＲＥＧであると確認する。前記使用可能なＲＥを、前記物理リソースエリアブロックにおける伝統的なＰＤＣＣＨと参照信号（参照信号は、ＣＲＳ（Ｃｅｌｌ−ｓｐｅｃｉｆｉｃ  Ｒｅｆｅｒｅｎｃｅ  ｓｉｇｎａｌ，セル専属参照信号）、ＤＭＲＳ（Ｄｅｍｏｄｕｌａｔｉｏｎ  Ｒｅｆｅｒｅｎｃｅ  ｓｉｇｎａｌ，復調参照信号）、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，チャネル品質情報測定参照信号）、ＰＲＳ（Ｐｏｓｉｔｉｏｎｉｎｇ  Ｒｅｆｅｒｅｎｃｅ  Ｓｉｇｎａｌ，位置決定参照信号）等を含むことができる）を伝送するＲＥ以外の全ＲＥとする。物理リソースエリアブロックの情況について以下に具体的に説明する。
【００３２】
〈Ａｌｔ−１〉
物理リソースエリアブロックは、時間領域上にて１つのＰＲＢｐａｉｒ（即ち、物理リソースブロックペア）におけるｌｅｇａｃｙＰＤＣＣＨが占用するＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ，直交周波数分割多重化）符号以外の全ＯＦＤＭ符号（ＯＦＤＭ符号は、即ち後に言及するＯＦＤＭｓｙｍｂｏｌである）を占用し、かつ、周波数領域上にて前記ＲＢの全サブキャリアを占用する。図６Ａが示す例の通り、１つのＲＢにおいて、ｌｅｇａｃｙ−ＰＤＣＣＨは、２個のＯＦＤＭｓｙｍｂｏｌ（図６Ａにおける斜線で充填する部分）を占用する。物理リソースエリアブロックを当該サブフレーム内時間領域上の１２個のＯＦＤＭｓｙｍｂｏｌとし、周波数領域上の１２個のサブキャリアとする。  
【００３３】
〈Ａｌｔ−２〉
物理リソースエリアブロックは、時間領域上にてＰＲＢｐａｉｒにおけるｌｅｇａｃｙ−ＰＤＣＣＨが占用するＯＦＤＭ符号以外の全ＯＦＤＭ符号を占用し、さらに、周波数領域上にて前記ＲＢのサブキャリアまたは複数連続サブキャリアを占用する。図６Ｂが示す例の通り、ｌｅｇａｃｙ−ＰＤＣＣＨは、２個のＯＦＤＭＳｙｍｂｏｌ（図６Ｂおける斜線で充填する部分）を占用し、ダウンリンクサブフレームの１つ目のｓｌｏｔ（即ち、タイムスロット）と２つ目のｓｌｏｔは、それぞれ各自の物理リソースエリアブロックを構成する。当該ＲＢに対応する１つの物理リソースエリアブロックをダウンリンクサブフレームに位置する１つ目のｓｌｏｔとする。かつ、当該物理リソースエリアブロックは、時間領域上にて１つ目のｓｌｏｔにおける５個のＯＦＤＭｓｙｍｂｏｌを占用し、さらに、周波数領域上にて１２個のサブキャリアを占用する。
【００３４】
〈Ａｌｔ−３〉
物理リソースエリアブロックは、時間領域にてＰＲＢにおける伝統的なＰＤＣＣＨが占用するＯＦＤＭ符号以外の全ＯＦＤＭ符号を占用する。さらに、周波数領域上にて前記ＲＢのサブキャリアまたは複数連続サブキャリアを占用する。もし図６Ｃに示すように、ｌｅｇａｃｙ−ＰＤＣＣＨが２個のＯＦＤＭＳｙｍｂｏｌ（図６Ｃおける斜線で充填する部分）を占用すれば、前記ＲＢの物理リソースブロックエリアは、時間領域上にて１２個のＯＦＤＭｓｙｍｂｏｌを占用する。さらに、周波数領域上にて３個のサブキャリアを占用する。
【００３５】
〈Ａｌｔ−４〉
物理リソースエリアブロックは、時間領域においてＰＲＢにおける伝統的なＰＤＣＣＨが占用するＯＦＤＭ符号以外の全ＯＦＤＭ符号を占用し、かつ、周波数領域上にて前記ＲＢのサブキャリアまたは複数連続サブキャリアを占用する。図６Ｄが示すように、ｌｅｇａｃｙ−ＰＤＣＣＨは、２個のＯＦＤＭＳｙｍｂｏｌ（図６Ｄおける斜線で充填する部分）を占用し、ダウンリンクサブフレームの１つ目のｓｌｏｔと２つ目のｓｌｏｔは、それぞれ各自の物理リソースエリアブロックを構成する。ＲＢに対応する１つの物理リソースブロックエリアは、ダウンリンクサブフレームの１つ目のｓｌｏｔ上に位置する。かつ、
時間領域上にて１つ目のｓｌｏｔ内の５個のＯＦＤＭｓｙｍｂｏｌを占用する。さらに、周波数領域上にて３個のサブキャリアを占用する。  
【００３６】
本発明の実施形態に係る前記ステップ４０２において、前記Ｅ−ＰＤＣＣＨにて伝送しなければならない各ダウンリンク制御情報（ＤＣＩ）を１つまたは複数Ｅ−ＣＣＥに搬送するためには、以下の方法を用いることができる。
【００３７】
各ＤＣＩに対して、前記ＤＣＩが必要なコード化速度に基づき、前記ＤＣＩに搬送するＥ−ＣＣＥ数量を確認する。また、前記複数Ｅ−ＣＣＥから相応の数量のＥ−ＣＣＥを選択し、選択した前記相応の数量のＥ−ＣＣＥに前記ＤＣＩを搬送する。  
【００３８】
本発明の実施形態に係る前記ステップ４０２において、前記Ｅ−ＰＤＣＣＨにて伝送しなければならない各ダウンリンク制御情報（ＤＣＩ）を１つまたは複数Ｅ−ＣＣＥに搬送するために、以下の２種類の方法を用いることができる。
【００３９】
〈方法１〉
伝送しなければならない全ＤＣＩの変調符号を連鎖接続し、連鎖接続して得た変調符号シーケンスを複数ＳＢ（Ｓｕｂ−ｂｌｏｃｋ，サブブロック）と区分する。各ＳＢ数目が同じ複数変調符号を含む。  
前記複数Ｅ−ＣＣＥに対応する全Ｅ−ＲＧＥを低周波から高周波までの順番に従い配列する。配列後の全Ｅ−ＲＥＧをインターリービングし、インターリービング後のＥ−ＲＥＧシーケンスを形成する。  
連鎖接続後の全ＳＢを前後の順番に従いインターリービング後の相応のＥ−ＲＥＧシーケンスにマッピングする。かつ、同一ＤＣＩの複数ＳＢに対応する複数Ｅ−ＲＥＧは、それぞれ異なるＲＢに帰属する。  
【００４０】
〈方法２〉
前記複数Ｅ−ＣＣＥに対応する全Ｅ−ＲＧＥを低周波から高周波までの順番に従い配列し、Ｅ−ＲＥＧシーケンスを獲得する。  
伝送しなければならない全ＤＣＩの変調符号を連鎖接続し、連鎖接続して得た変調符号シーケンスを複数ＳＢと区分し、各ＳＢ数目が同じ複数変調符号を含む。
かつ、複数ＳＢインターリービングし、ＳＢシーケンスを獲得し、前記ＳＢシーケンスを順番に配列後のＥ−ＲＥＧシーケンスにマッピングする。かつ、同一ＤＣＩの複数ＳＢに対応する複数Ｅ−ＲＥＧは、それぞれ異なるＲＢに帰属する。  
【００４１】
さらに明確にするため、前記方法１と方法２を詳細に説明する。前記方法１と方法２に対して、以下にそれぞれ２つの具体的な例を挙げ説明する。当該２つの例において、仮にＥ−ＰＤＣＣＨを伝送するＥ−ＣＣＥの数量が４（それぞれ、Ｅ−ＣＣＥ＃１、Ｅ−ＣＣＥ＃２、Ｅ−ＣＣＥ＃３および、Ｅ−ＣＣＥ＃４を用いて表示する）であれば、各Ｅ−ＣＣＥは、全て４個のＥ−ＲＥＧを備える。即ち、合計で１６個のＥ−ＲＥＧ（それぞれ、Ｅ−ＲＥＧ＃０、Ｅ−ＲＥＧ＃１、．．．、Ｅ−ＲＥＧ＃１５を用いて表示する。ここで、Ｅ−ＲＥＧ＃０〜Ｅ−ＲＥＧ＃３は、同一ＲＢに帰属する。Ｅ−ＲＥＧ＃４〜Ｅ−ＲＥＧ＃７は、同一ＲＢに帰属する。Ｅ−ＲＥＧ＃８〜Ｅ−ＲＥＧ＃１１は、同一ＲＢに帰属する。Ｅ−ＲＥＧ＃１２〜Ｅ−ＲＥＧ＃１５は、同一ＲＢに帰属する。）を備える。Ｅ−ＰＤＣＣＨにて伝送しなければならないＤＣＩの数量を４（順番にＤＣＩ＃１、ＤＣＩ＃２、ＤＣＩ＃３およびＤＣＩ＃４を用いて表示する。）とし、各ＤＣＩは４個の変調符号を含む。この例において、４個のＤＣＩに対応する全変調符号を１６個のＳＢと区分する。各ＳＢに変調符号を含み、ＳＢは、１６個の変調符号と１つ１つ対応する（順番にＳＢ＃０、ＳＢ＃１．．．ＳＢ＃１５を用いて表示する）。  
【００４２】
前記方法１を用いる場合、以下のステップＳａ１からステップＳａ３を備える。  
【００４３】
ステップＳａ１において、図７Ａに示すように、１６Ｅ−ＲＥＧを低周波から高周波までの順番に従い配列し、｛Ｅ−ＲＥＧ＃０，Ｅ−ＲＥＧ＃１，Ｅ−ＲＥＧ＃１５｝であるＥ−ＲＥＧシーケンスを獲得する。
【００４４】
ステップＳａ２において、配列後の１６個のＥ−ＲＥＧをインターリービングし再度配列し、｛Ｅ−ＲＥＧ＃０，Ｅ−ＲＥＧ＃５，Ｅ−ＲＥＧ＃１０，Ｅ−ＲＥＧ＃１５，Ｅ−ＲＥＧ＃１，Ｅ−ＲＥＧ＃６，Ｅ−ＲＥＧ＃１１，Ｅ−ＲＥＧ＃１２，Ｅ−ＲＥＧ＃２，Ｅ−ＲＥＧ＃７，Ｅ−ＲＥＧ＃８，Ｅ−ＲＥＧ＃１３，Ｅ−ＲＥＧ＃３，Ｅ−ＲＥＧ＃４，Ｅ−ＲＥＧ＃９，Ｅ−ＲＥＧ＃１４｝であるインターリービング後のＥ−ＲＥＧシーケンスを獲得する。
【００４５】
ステップＳａ２において、インターリービング後のＥ−ＲＥＧシーケンスに基づき、１６個のＥ−ＲＥＧをアグリゲーションし、４個のＥ−ＣＣＥを構成する。図７Ａが示すように、Ｅ−ＲＥＧ＃０、Ｅ−ＲＥＧ＃５、Ｅ−ＲＥＧ＃１０およびＥ−ＲＥＧ＃１５をアグリゲーションし、Ｅ−ＣＣＥ＃０を構成する。Ｅ−ＲＥＧ＃１、Ｅ−ＲＥＧ＃６、Ｅ−ＲＥＧ＃１１およびＥ−ＲＥＧ＃１２をアグリゲーションし、Ｅ−ＣＣＥ＃１を構成する。Ｅ−ＲＥＧ＃２、Ｅ−ＲＥＧ＃７、Ｅ−ＲＥＧ＃８およびＥ−ＲＥＧ＃１３をアグリゲーションし、Ｅ−ＣＣＥ＃２を構成する。Ｅ−ＲＥＧ＃３、Ｅ−ＲＥＧ＃４、Ｅ−ＲＥＧ＃９およびＥ−ＲＥＧ＃１４をアグリゲーションし、Ｅ−ＣＣＥ＃３０を構成する。
【００４６】
ステップＳａ３において、伝送しなければならない４個のＤＣＩに対応する１６ＳＢを、シーケンスに従い順番通りにインターリービング後の１６個のＥ−ＲＥＧ上にマッピングする。即ち、ＳＢ＃０〜ＳＢ＃１５をそれぞれＥ−ＲＥＧ＃０〜Ｅ−ＲＥＧ＃１５上にマッピングする。  
【００４７】
前記方法２を用いる場合、以下のステップＳｂ１からＳｂ５を備える。  
【００４８】
ステップＳｂ１において、図７Ｂに示すように、１６個のＥ−ＲＥＧを低周波から高周波までの順番に従い配列し、｛Ｅ−ＲＥＧ＃０，Ｅ−ＲＥＧ＃１，Ｅ−ＲＥＧ＃１５｝であるＥ−ＲＥＧシーケンスを獲得する。
【００４９】
ステップＳｂ２において、４個のＤＣＩに対応する１６個のＳＢを連鎖接続し、連鎖接続後のＳＢシーケンス｛ＳＢ＃０，ＳＢ＃１，ＳＢ＃１５｝を、獲得する。
【００５０】
ステップＳｂ３において、配列後の１６個のＳＢをインターリービングし再度配列し、再度インターリービングした後のＳＢシーケンス｛ＳＢ＃０，ＳＢ＃４，ＳＢ＃８，ＳＢ＃１２，ＳＢ＃１３，ＳＢ＃１，ＳＢ＃５，ＳＢ＃９，ＳＢ＃１０，ＳＢ＃１４，ＳＢ＃２，ＳＢ＃６，ＳＢ＃７，ＳＢ＃１１，ＳＢ＃１５，＃ＳＢ３｝を獲得する。
【００５１】
ステップＳｂ４において、ステップＳｂ１において獲得した配列後のＥ−ＲＥＧシーケンスに基づき、１６Ｅ−ＲＥＧをアグリゲーションして、４Ｅ−ＣＣＥを構成して獲得する。図７Ｂが示すように、Ｅ−ＲＥＧ＃０、Ｅ−ＲＥＧ＃５、Ｅ−ＲＥＧ＃１０およびＥ−ＲＥＧ＃１５をアグリゲーションし、Ｅ−ＣＣＥ＃０を構成する。Ｅ−ＲＥＧ＃１、Ｅ−ＲＥＧ＃６、Ｅ−ＲＥＧ＃１１およびＥ−ＲＥＧ＃１２をアグリゲーションし、Ｅ−ＣＣＥ＃１を構成する。Ｅ−ＲＥＧ＃２、Ｅ−ＲＥＧ＃７、Ｅ−ＲＥＧ＃８およびＥ−ＲＥＧ＃１３をアグリゲーションし、Ｅ−ＣＣＥ＃２を構成する。Ｅ−ＲＥＧ＃３、Ｅ−ＲＥＧ＃４、Ｅ−ＲＥＧ＃９およびＥ−ＲＥＧ＃１４をアグリゲーションし、Ｅ−ＣＣＥ＃３を構成する。
【００５２】
ステップＳｂ５において、インターリービングし、再度配列した後の１６個のＳＢをシーケンスに従い順番通りに配列後の１６個のＥ−ＲＥＧ上にマッピングする。即ち、ＳＢ＃０、ＳＢ＃４、ＳＢ＃８およびＳＢ＃１２を順番にＥ−ＲＥＧ＃０〜Ｅ−ＲＥＧ＃３上にマッピングする。ＳＢ＃１３、ＳＢ＃１、ＳＢ＃５およびＳＢ＃９を順番にＥ−ＲＥＧ＃４〜Ｅ−ＲＥＧ＃７上にマッピングする。ＳＢ＃１０、ＳＢ＃１４、ＳＢ＃２およびＳＢ＃６を順番にＥ−ＲＥＧ＃８〜Ｅ−ＲＥＧ＃１１上にマッピングする。ＳＢ＃７、ＳＢ＃１１、ＳＢ＃１５およびＳＢ＃３を順番にＥ−ＲＥＧ＃１２〜Ｅ−ＲＥＧ＃１４上にマッピングする。
【００５３】
上記の例における複数Ｅ−ＲＥＧをインターリービングする方法は、ただ具体的な例であり、図７Ａに示すインターリービング方法のみに限らない。また、現在のサブフレーム番号に基づき確認できる、または現在のセルＩＤにより確認できるように、実際の必要に応じて柔軟に設定できため、ここでは１つ１つ例を挙げない。同様に、前記例における複数ＳＢをインターリービングする方法、はただ具体的な例であり、図７Ｂに示すインターリービングのみに限らない。さらに、現在のサブフレーム番号に基づき確認できる、または現在のセルＩＤにより確認できるように、実際の必要に応じて柔軟に設定できため、ここでは１つ１つ例を挙げない。  
【００５４】
前記基地局側に基づく制御情報の伝送に基づき、本発明の実施形態は、端末側に基づく制御情報の受信方法をさらに提供する。当該方法フローは、図８に示すように以下のステッププ８０１とステップ８０２を備える。
【００５５】
ステップ８０１において、Ｅ−ＰＤＣＣＨを伝送する複数Ｅ−ＣＣＥを受信し、各Ｅ−ＣＣＥ中に同じ数量のＥ−ＲＥＧを含む。かつ、各Ｅ−ＣＣＥが含む複数Ｅ−ＲＥＧは、それぞれ異なるＲＢに帰属する。  
【００５６】
ステップ８０２において、前記複数Ｅ−ＣＣＥから各前記Ｅ−ＰＤＣＣＨにて伝送しなければならないＤＣＩを獲得する。  
【００５７】
本発明の実施形態において、前記Ｅ−ＰＤＣＣＨを伝送する複数Ｅ−ＣＣＥは、前記Ｅ−ＰＤＣＣＨを伝送する複数ＲＢに対応する全Ｅ−ＲＥＧによりアグリゲーションし、構成した複数Ｅ−ＣＣＥである。ここで、前記各Ｅ−ＣＣＥは、同じ数量のＥ−ＲＥＧを含む。かつ、各Ｅ−ＣＣＥが含む複数Ｅ−ＲＥＧは、それぞれ異なる周波数リソースブロック（ＲＢ）に帰属する。  
【００５８】
前記ブロックＲＢは、基地局からＵＥに割当て、前記周波数リソースブロックは分散してシステム帯域幅内に分布される。  
【００５９】
本発明の実施形態において、各ＲＢに対応するＥ−ＲＥＧは、前記ＲＢにおける１つの物理リソースエリアブロックにおいて使用可能な全ＲＥをＥ−ＲＥＧと確認する。前記使用可能なＲＥが、前記物理リソースエリアブロックにて伝統的なＰＤＣＣＨと参照信号を伝送するＲＥ以外のＲＥである。  
【００６０】
前記物理リソースエリアブロックは、時間領域上にて１つのＰＲＢｐａｉｒにおける伝統的なＰＤＣＣＨが占用するＯＦＤＭ符号以外の全ＯＦＤＭ符号を占用し、周波数領域上にて前記ＲＢの全サブキャリアを占用する。
【００６１】
または、前記物理リソースエリアブロックは、時間領域にて１つのＰＲＢにおける伝統的なＰＤＣＣＨが占用するＯＦＤＭ符号以外の全ＯＦＤＭ符号を占用する。さらに、周波
数領域上にて前記ＲＢの全サブキャリアを占用する。  
【００６２】
または、前記物理リソースエリアブロックは、時間領域上にてＰＲＢｐａｉｒにおける伝統的なＰＤＣＣＨが占用するＯＦＤＭ符号以外の全ＯＦＤＭ符号を占用する。さらに、周波数領域上にて前記ＲＢの１つのサブキャリアまたは複数連続サブキャリアを占用する。
【００６３】
または、前記物理リソースエリアブロックが、時間領域において１つのＰＲＢにおける伝統的なＰＤＣＣＨが占用するＯＦＤＭ符号以外の全ＯＦＤＭ符号を占用し、周波数領域上にて前記ＲＢの１つのサブキャリアまたは複数連続サブキャリアを占用するステップとを備える。
【００６４】
前記ステップ８０２において、前記複数Ｅ−ＣＣＥにおけるＥ−ＰＤＣＣＨにて伝送しなければならない少なくとも１つのＤＣＩの獲得は、前記複数Ｅ−ＣＣＥに対応するＥ−ＲＥＧシーケンスをデインターリービングし、低周波から高周波までの順番に従い配列した複数Ｅ−ＲＥＧを獲得し、さらに、順番に当該複数Ｅ−ＲＥＧからそれぞれ搬送した複数ＳＢを獲得し、前記複数ＳＢから前記少なくとも１つのＤＣＩに対応する変調符号を獲得し、これにより、前記少なくとも１つのＤＣＩを獲得するステップと、または、前記複数Ｅ−ＣＣＥに対応する低周波から高周波までの順番に従い配列した複数Ｅ−ＲＥＧからそれぞれ搬送した複数ＳＢを獲得し、前記複数ＳＢをデインターリービング後、ＳＢシーケンスを獲得し、さらに、前記ＳＢシーケンスから前記少なくとも１つのＤＣＩに対応する変調符号を獲得し、これにより、前記少なくとも１つのＤＣＩを獲得するステップとを備える。  
【００６５】
前記制御情報の伝送方法に基づき、本発明の実施形態は制御情報の伝送装置を提供する。当該装置は基地局に設置でき、当該装置の構造は図９が示すように、Ｅ−ＰＤＣＣＨを伝送する複数Ｅ−ＣＣＥを確認し、各Ｅ−ＣＣＥが同じ数量のＥ−ＲＥＧを含み、かつ、各Ｅ−ＣＣＥが含む複数Ｅ−ＲＥＧが、それぞれ異なる周波数リソースブロック（ＲＢ）に帰属する、Ｅ−ＣＣＥ確認ユニット９１と、前記Ｅ−ＰＤＣＣＨにて伝送しなければならない各ＤＣＩを１つまたは複数Ｅ−ＣＣＥに搬送する、情報マッピングユニット９２と、ＤＣＩを搬送したＥ−ＣＣＥを伝送する、情報伝送ユニット９３とを備える。
【００６６】
好ましくは、前記Ｅ−ＣＣＥ確認ユニット９１による前記Ｅ−ＰＤＣＣＨを伝送する複数Ｅ−ＣＣＥの確認は具体的に、前記Ｅ−ＰＤＣＣＨを伝送する複数ＲＢを確認することと、前記複数ＲＢにおける各ＲＢに対して、前記各ＲＢと対応する１つまたは複数Ｅ−ＲＥＧを確認し、これに従い、前記複数ＲＢに対応する全Ｅ−ＲＥＧを確認することと、前記複数ＲＢに対応する全Ｅ−ＲＥＧをアグリゲーションし、複数Ｅ−ＣＣＥを構成することとに用いられる。  
【００６７】
好ましくは、Ｅ−ＣＣＥ確認ユニット９１による前記ＲＢに対応するＥ−ＲＥＧの確認は、具体的に下記とおりである。  
前記各ＲＢにおける１つの物理リソースエリアブロックにおいて使用可能な全ＲＥは１つのＥ−ＲＥＧであると確認し、前記使用可能なＲＥを前記物理リソースエリアブロックにて伝統的なＰＤＣＣＨと参照信号を伝送するＲＥ以外のＲＥとする。  
前記物理リソースエリアブロックは、時間領域上にて１つのＰＲＢｐａｉｒにおける伝統的なＰＤＣＣＨが占用する直交周波数分割多重化ＯＦＤＭ符号以外の全ＯＦＤＭ符号を占用する。さらに、周波数領域上にて前記ＲＢの全サブキャリアを占用する。
または、前記物理リソースエリアブロックは、時間領域にて１つのＰＲＢにおける伝統的なＰＤＣＣＨが占用するＯＦＤＭ符号以外の全ＯＦＤＭ符号を占用する。さらに、周波数領域上にて前記ＲＢの全サブキャリアを占用する。
または、前記物理リソースエリアブロックは、時間領域上にてＰＲＢｐａｉｒおける伝統的なＰＤＣＣＨが占用するＯＦＤＭ符号以外の全ＯＦＤＭ符号を占用する。さらに、周波数領域上にて前記ＲＢのサブキャリアまたは複数連続サブキャリアを占用する。  
または、前記物理リソースエリアブロックは、時間領域にて１つのＰＲＢにおける伝統的なＰＤＣＣＨが占用するＯＦＤＭ符号以外の全ＯＦＤＭ符号を占用する。さらに、周波数領域上にて前記ＲＢの１つのサブキャリアまたは複数連続サブキャリアを占用する。  
【００６８】
好ましくは、情報マッピングユニット９２は具体的に、各ＤＣＩに対して、前記ＤＣＩが必要なコード化速度に基づき、前記ＤＣＩに搬送するＥ−ＣＣＥ数量を確認する。さらに、前記複数Ｅ−ＣＣＥから相応の数量のＥ−ＣＣＥを選択し、選択した前記相応の数量のＥ−ＣＣＥに前記ＤＣＩを搬送する。  
【００６９】
好ましくは、前記情報マッピングユニット９２は、全ＤＣＩを伝送しなければならない変調符号を連鎖接続し、連鎖接続して得た変調符号シーケンスを複数ＳＢと区分する。各ＳＢは、数目が同じ複数変調符号を含む。
前記情報マッピングユニット９２は、前記複数Ｅ−ＣＣＥに対応する全Ｅ−ＲＧＥを低周波から高周波までの順番に従い配列する。配列後の全Ｅ−ＲＥＧをインターリービングし、インターリービング後のＥ−ＲＥＧシーケンスを形成する。  
前記情報マッピングユニット９２は、連鎖接続後の全ＳＢを前後の順番に従いインターリービング後の相応のＥ−ＲＥＧシーケンスにマッピングする。同一ＤＣＩの複数ＳＢに対応する複数Ｅ−ＲＥＧは、それぞれ異なるＲＢに帰属する。  
【００７０】
前記情報マッピングユニット９２は具体的に、前記複数Ｅ−ＣＣＥに対応する全Ｅ−ＲＧＥを低周波から高周波までの順番に従い配列し、Ｅ−ＲＥＧシーケンスを獲得する。    また、前記情報マッピングユニット９２は、伝送しなければならない全ＤＣＩの変調符号を連鎖接続し、連鎖接続して得た変調符号シーケンスを複数ＳＢと区分する。各ＳＢは数目が同じ複数変調符号を含む。さらに、複数ＳＢインターリービングし、ＳＢシーケンスを獲得し、前記ＳＢシーケンスを順番に配列後のＥ−ＲＥＧシーケンスにマッピングする。さらに、同一ＤＣＩの複数ＳＢに対応する複数Ｅ−ＲＥＧは、それぞれ異なるＲＢに帰属する。  
【００７１】
前記制御情報の受信方法に基づき、本発明の実施形態は、ユーザー端末設備をさらに提供する。図１０が示すように、当該ユーザー端末設備は、Ｅ−ＰＤＣＣＨを伝送する複数Ｅ−ＣＣＥを受信し、各Ｅ−ＣＣＥに同じ数量のＥ−ＲＥＧを含み、かつ、各Ｅ−ＣＣＥが含む複数Ｅ−ＲＥＧが、それぞれ異なるＲＢに帰属する、受信ユニット１０１と、前記複数Ｅ−ＣＣＥから前記Ｅ−ＰＤＣＣＨにて伝送しなければならない少なくとも１つのＤＣＩを獲得する、制御情報獲得ユニット１０２とを備える。
【００７２】
好ましくは、制御情報獲得ユニット１０２は、具体的に、前記複数Ｅ−ＣＣＥに対応するＥ−ＲＥＧシーケンスをデインターリービングし、低周波から高周波までの順番に従い配列した複数Ｅ−ＲＥＧを獲得する。さらに、順番に当該複数Ｅ−ＲＥＧからそれぞれ搬送した複数ＳＢを獲得し、前記複数ＳＢから前記少なくとも１つのＤＣＩに対応する変調符号を獲得する。これにより、前記少なくとも１つのＤＣＩを獲得する。
【００７３】
好ましくは、制御情報獲得ユニット１０２は、具体的に、前記複数Ｅ−ＣＣＥに対応する低周波から高周波までの順番に従い配列した複数Ｅ−ＲＥＧからそれぞれ搬送した複数ＳＢを獲得し、前記複数ＳＢをデインターリービング後、ＳＢシーケンスを獲得する。さらに、前記ＳＢシーケンスから前記少なくとも１つのＤＣＩに対応する変調符号を獲得する。これにより、前記少なくとも１つのＤＣＩを獲得する。
【００７４】
本発明の実施形態において、一方で、Ｅ−ＰＤＣＣＨを伝送する複数Ｅ−ＣＣＥを確認し、前記各Ｅ−ＣＣＥは同じ数量のＥ−ＲＥＧを含む。かつ、各Ｅ−ＣＣＥが含む複数Ｅ−ＲＥＧは、それぞれ異なるＲＢに帰属し、前記Ｅ−ＰＤＣＣＨにて伝送しなければならない各ダウンリンク制御情報（ＤＣＩ）を少なくとも１つのＥ−ＣＣＥに搬送しから伝送する。
本発明によれば、各Ｅ−ＣＣＥが含む複数Ｅ−ＲＥＧが、それぞれ異なる周波数リソースブロック（ＲＢ）に帰属するため、各伝送しなければならないＤＣＩを少なくとも１つのＥ−ＣＣＥに搬送し、ＤＣＩの変調符号を異なるＥ−ＲＥＧまでにダイバシティして伝送することを実現できる。これにより、ＤＣＩにおけるＥ−ＰＤＣＣＨに対応する複数異なる周波数域リソースまでに搬送し、伝送することを実現し、ＤＣＩ伝送の安定性と信頼性を高める。また一方で、周波数ダイバシティに基づくＥ−ＰＤＣＣＨ伝送方法は、周波数ダイバシティを充分に利用してＤＣＩを伝送でき、セル間干渉をランダム化し、簡略化を実現する。
【００７５】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
0005859136.tif 000002
【図２】
0005859136.tif 000003
【図３Ａ】
0005859136.tif 000004
【図３Ｂ】
0005859136.tif 000005
【図４】
0005859136.tif 000006
【図５】
0005859136.tif 000007
【図７Ａ】
0005859136.tif 000008
【図７Ｂ】
0005859136.tif 000009
【図８】
0005859136.tif 000010
【図９】
0005859136.tif 000011
【図１０】
0005859136.tif 000012
【図６Ａ】
0005859136.tif 000013
【図６Ｂ】
0005859136.tif 000014
【図６Ｃ】
0005859136.tif 000015
【図６Ｄ】
0005859136.tif 000016